(57)【要約】【課題】本発明は光ディスクに記録されたピット情報を再生する際に含まれるジッタの計測器に関し、特に異なるジッタの測定規格を有する被測定装置に対して、イコライザ特性、二値化特性、ＰＬＬ回路のループ特性の設定を容易に変更可能とし、１台の測定器によって異なる仕様の光ディスク再生装置のジッタの測定を可能とする光ディスク再生装置用ジッタ測定器を提供するものである。【解決手段】メディア／線速度判別回路１５は測定対象装置の種別や線速度を判別し、ＣＰＵ１６を介して制御部１７に出力する。制御部１７は測定対象装置の種別や線速度に対応して、イコライザ／フィルタ回路１１のブースト周波数を可変し、二値化回路１２のカットオフ周波数を可変し、ＰＬＬ回路１３のループ特性を可変し、各回路を測定対象装置のジッタ測定規格に対応した設定にする。従って、測定対象装置に対応したジッタの測定規格の設定が可能であり、本発明によれば１台のジッタ測定器によって広範囲の光ディスク再生装置のジッタ測定を行うことができる。【選択図】  図１
2004295965.tif 000002
【特許請求の範囲】
【請求項１】
光ディスク再生装置用のジッタ測定器において、
前記光ディスクの記録面から記録情報を読み出す光ピックアップと、
該光ピックアップによって読み出した記録情報に対し、前記光ディスクの種別又は読み出し速度に従ってイコライザ特性を可変し、カットオフ周波数を可変するイコライザ回路と、
を有することを特徴とする光ディスク再生装置用ジッタ測定器。
【請求項２】
光ディスク再生装置用ジッタ測定器において、
光ディスクの記録面から記録情報を読み出す光ピックアップと、
該光ピックアップによって読み出したＲＦ信号に対し、特定周波数をブーストするイコライザ回路と、
該イコライザ回路によって周波数調整されたＲＦ信号に対し、前記光ディスクの種別又は読み出し速度に従ってカットオフ周波数を可変し、二値化信号を再生する二値化回路と、
を有することを特徴とする光ディスク再生装置用ジッタ測定器。
【請求項３】
光ディスク再生装置用ジッタ測定器において、
光ディスクの記録面から記録情報を読み出す光ピックアップと、
該光ピックアップによって読み出したＲＦ信号に対してブースト処理を施し、周波数調整を行うイコライザ回路と、
該イコライザ回路によって周波数調整されたＲＦ信号に対して二値化処理を行う二値化回路と、
該二値化回路によって再生された二値化信号に対し、前記光ディスクの種別又は読み出し速度に従ってループ伝達関数を可変し、ループ特性を可変してクロック信号を生成するＰＬＬ回路と、
を有することを特徴とする光ディスク再生装置用ジッタ測定器。
【請求項４】
前記ＰＬＬ回路の出力は、タイムインターバルアナライザに入力し、前記二値化信号とクロック信号間の時間差からジッタの測定を行うことを特徴とする請求項３記載の光ディスク再生装置用ジッタ測定器。
【請求項５】
前記イコライザ特性の可変は、デジタルフィルタのタップ定数を変更することによってブースト周波数を可変することを特徴とする請求項１記載の光ディスク再生装置用ジッタ測定器。
【請求項６】
前記カットオフ周波数の可変は、アナログ回路素子の時定数を可変することによって行うことを特徴とする請求項１、又は２記載の光ディスク再生装置用ジッタ測定器。
【請求項７】
前記ループ伝達関数の可変は、アナログ回路素子の時定数を可変することによって行うことを特徴とする請求項３、又は４記載の光ディスク再生装置用ジッタ測定器。
【請求項８】
被測定装置である前記光ディスク再生装置の種別及び読み出し速度は、判別手段によって判別され、自動的に該判別手段による判別結果が前記イコライザ回路に供給されることを特徴とする請求項１、又は５記載の光ディスク再生装置用ジッタ測定器。
【請求項９】
被測定装置である前記光ディスク再生装置の種別及び読み出し速度は、判別手段によって判別され、自動的に該判別手段による判別結果が前記イコライザ回路及び二値化回路に供給されることを特徴とする請求項１、２、又は６記載の光ディスク再生装置用ジッタ測定器。
【請求項１０】
被測定装置である前記光ディスク再生装置の種別及び読み出し速度は、判別手段によって判別され、自動的に該判別手段による判別結果が前記ＰＬＬ回路に供給されることを特徴とする請求項３、４、又は７記載の光ディスク再生装置用ジッタ測定器。
【発明の詳細な説明】
【０００１】
【発明の属する技術分野】
本発明は、光ディスクに記録されたピット情報を再生する際に含まれるジッタを測定する測定器に関する。
【０００２】
【従来の技術】
今日、写真画像や動画像、音楽等の各種メディアをパーソナルコンピュータによって処理することが広く行われ、大容量記録媒体のニーズが高まっている。特に、ＣＤ（コンパクトディスク）、ＤＶＤ（Ｄｉｇｉｔａｌ  Ｖｅｒｓａｔｉｌｅ  Ｄｉｓｃ）等の記録媒体は記録面に形成したピット情報にレーザ光を照射して大量の情報を読み出すことができ、再生専用型、追記型、書き換え可能型の各種形式の装置が開発されている。このような構成の光ディスクにはミクロンオーダの微少なピットが記録面に高密度に記録されている。
【０００３】
しかし、光ディスクは円盤形であり、微少な反りや偏心がある。また、光ピックアップとディスク回転面との傾き（チルト）も発生する。この為、光ピックアップによって読み出したデータにはジッタが含まれ、例えば再生装置に対するチルト調整等の為ジッタの測定が必要である。
【０００４】
図７はこのような目的に使用されるジッタ測定器の回路構成を説明する図である。同図において、イコライザ回路１は光ピックアップで検出したデータに対して特定周波数をブーストする回路であり、ブースト量制御部２によってブースト量が調整される。図８（ａ）に示す特性は、上記ブースト量制御部２による特定周波数ｆ５に対するブースト量の可変を示す。
【０００５】
イコライザ回路１で周波数が平坦化された信号は、二値化回路３によって二値化され、ＰＬＬ回路４に送られる。尚、この時、図８（ｂ）に示すように、ＲＦ信号（Ｒａｄｉｏ  Ｆｒｅｑｕｅｎｃｙ  信号）において、３ｄＢ以上レベルが低下する高周波成分（例えば、ｆ６以上の高周波）はカットされる。
【０００６】
ＰＬＬ回路４では二値化信号（ＥＦＭ（Ｅｉｇｈｔ  ｔｏ  Ｆｏｕｒｔｅｅｎ  Ｍｏｄｕｒａｔｉｏｎ）信号）に基づいてクロック信号を生成する。二値化信号はクロック周期Ｔの３倍から１１倍のデータ長を持つ信号であり、このデータから記録情報を復調する為のクロック信号の生成が行われる。また、各種記録メディアに対応できるよう、出力クロック周波数制御部５が配設され、同図（ｃ）に示す周波数可変幅の制御が行われる。また、同図（ｄ）は従来のＰＬＬ回路４のループ特性を示す。
【０００７】
タイムインターバルアナライザ（ＴＩＡ）６は、二値化された信号（ＥＦＭ信号）とＰＬＬ回路４によって再生されたクロック信号との時間差を測定し、ジッタ成分を抽出する。
【０００８】
尚、特許文献１にはイコライザを調整する発明が開示されている。すなわち、光ピックアップで読み出したＲＦ信号に対して特定周波数をブーストし、該ブースト量を連続的に調節することによって、ジッタを確実に測定するものである。
【０００９】
【特許文献１】
特開２００１−２１８２３６号公報
【００１０】
【発明が解決しようとする課題】
上記ＣＤやＤＶＤには、前述のように再生専用型、追記型、書き換え可能型の各種が開発され、記録媒体によって規格が異なる。また、メーカ独自の規格を設定している場合もある。さらに、光ディスクの再生速度の相違によってジッタの測定規格が異なる。
【００１１】
しかしながら、従来のジッタ測定器では、ＣＤ再生装置専用、ＤＶＤ再生装置専用の測定器であり、再生速度についても２倍速、４倍速等の再生速度に対応した測定器が使用されている。
【００１２】
したがって、従来のジッタの測定では、それぞれ専用の測定器が必要であり、上記測定を汎用機によって行う為には、回路定数の変更を行い、新規に回路基板を開発し、交換等を行うことが必要であった。
【００１３】
そこで、本発明は異なるジッタの測定規格を有する被測定装置に対して、イコライザ特性、二値化特性、ＰＬＬ回路のループ特性の設定を容易に変更可能とし、１台の測定器によって異なる仕様の光ディスク再生装置のジッタの測定を可能とする光ディスク再生装置用ジッタ測定器を提供するものである。
【００１４】
【課題を解決するための手段】
上記課題は、請求項１記載の発明によれば、光ディスク再生装置用のジッタ測定器において、前記光ディスクの記録面から記録情報を読み出す光ピックアップと、該光ピックアップによって読み出した記録情報に対し、前記光ディスクの種別又は読み出し速度に従ってイコライザ特性を可変し、カットオフ周波数を可変するイコライザ回路とを有する光ディスク再生装置用ジッタ測定器を提供することによって達成できる。
【００１５】
ここで、上記光ディスクは、例えばＣＤやＤＶＤであり、光ディスクの記録面にはピット形式で情報が記録されている。光ピックアップは、例えばレーザ光を照射して上記記録情報を読み取り、イコライザ回路に供給する。
【００１６】
イコライザ回路は上記ＲＦ信号に対して波形成形を施す。この際、本発明のイコライザ回路は、被測定装置である光ディスクの種別又は読み出し速度に基づいてブースト周波数やカットオフ周波数を可変できる。
【００１７】
このように構成することにより、例えば光ディスクがＣＤであるか、又はＤＶＤであるかによって適切なブースト周波数、及びカットオフ周波数を設定することができる。また、ＣＤやＤＶＤからのデータ読み出し速度が２倍速か、４倍速か、・・・によって対応するブースト周波数、及びカットオフ周波数を設定することができる。
【００１８】
上記課題は、請求項２記載の発明によれば、光ディスク再生装置用ジッタ測定器において、光ディスクの記録面から記録情報を読み出す光ピックアップと、該光ピックアップによって読み出したＲＦ信号に対し、特定周波数をブーストするイコライザ回路と、該イコライザ回路によって周波数調整されたＲＦ信号に対し、前記光ディスクの種別又は読み出し速度に従ってカットオフ周波数を可変し、二値化信号を再生する二値化回路とを有する光ディスク再生装置用ジッタ測定器を提供することによって達成できる。
【００１９】
ここで、二値化回路はＲＦ信号から二値化信号を再生する回路であり、その際、光ディスクの種別又は読み出し速度に基づいてカットオフ周波数を可変し、ＥＦＭ信号を再生する。
【００２０】
このように構成することにより、被測定装置である光ディスクの種別や読み出し速度によって適切なカットオフ周波数を設定することができ、測定対象である光ディスクの種別や読み出し速度が変わった場合でも１台のジッタ測定器を使用してジッタの測定を行うことができる。
【００２１】
上記課題は、請求項３記載の発明によれば、光ディスク再生装置用ジッタ測定器において、光ディスクの記録面から記録情報を読み出す光ピックアップと、該光ピックアップによって読み出したＲＦ信号に対してブースト処理を施し、周波数調整を行うイコライザ回路と、該イコライザ回路によって周波数調整されたＲＦ信号に対して二値化処理を行う二値化回路と、該二値化回路によって再生された二値化信号に対し、前記光ディスクの種別又は読み出し速度に従ってループ伝達関数を可変し、ループ特性を可変してクロック信号を生成するＰＬＬ回路とを有する光ディスク再生装置用ジッタ測定器を提供することによって達成できる。
【００２２】
ここで、上記ループ伝達関数は周波数に対するループゲインの調整機能を有し、測定対象装置である光ディスクの種別又は読み出し速度に基づいてループ伝達関数を可変し、１台のジッタ測定器を使用して汎用的にジッタの測定を行うことができる。
【００２３】
請求項４の記載は、請求項３記載の発明において、前記ＰＬＬ回路の出力は、タイムインターバルアナライザに入力し、前記二値化信号とクロック信号間の時間差からジッタの測定を行う構成である。
【００２４】
例えば、タイムインターバルアナライザ（ＴＩＡ）はＥＦＭ信号の端部の信号の立ち上がり、又は立ち下がりをＰＬＬ回路より再生したクロック信号と比較し、両信号の時間差から、ジッタの検出を行う。
【００２５】
このように構成することにより、１台のジッタ測定器によって効率よくジッタの測定を行い、例えば光ピックアップのフォーカス調整や軸の傾き調整（チルト調整）を効率よく行うことができる。
【００２６】
請求項５の記載は、請求項１記載の発明において、前記イコライザ特性の可変は、デジタルフィルタのタップ定数を変更することによってブースト周波数を可変可能とする構成である。
【００２７】
このように構成することにより、ブースト周波数の可変をソウトウエアによって処理でき、例えばＦＩＲフィルタ（Ｆｉｎｉｔｅ  Ｉｍｐｕｌｓｅ  Ｒｅｓｐｏｎｓｅ  フィルタ）やＩＩＲフィルタ（Ｉｎｆｉｎｉｔｅ  Ｉｍｐｕｌｓｅ  Ｒｅｓｐｏｎｓｅ  フィルタ）を使用し、プログラム設定によってブースト周波数を可変することができ、容易にイコライザ特性の可変を行うことができる。
【００２８】
請求項６の記載は、請求項１、又は２記載の発明において、前記カットオフ周波数の可変は、アナログ回路素子の時定数を可変することによって行う構成である。
【００２９】
このように構成することにより、イコライザ回路や二値化回路において、例えば抵抗値とコンデンサの容量を可変し、又はコンデンサの容量とインダクタンス成分の可変を行い、異なる種別や読み出し速度の光ディスクのジッタ測定を１台の測定器によって行うことができる。
【００３０】
請求項７の記載は、請求項３、又は４の記載において、前記ループ伝達関数の可変は、アナログ回路素子の時定数を可変することによって行う構成である。
このように構成することにより、ＰＬＬ回路においてループ伝達関数を抵抗値とコンデンサ容量を可変し、又はコンデンサ容量とインダクタンス成分を可変することによって行い、１台のジッタ測定器によって広範囲な光ディスク装置のジッタ測定を行うことができる。
【００３１】
請求項８の記載は、請求項１又は５の記載において、被測定装置である前記光ディスク再生装置の種別及び読み出し速度は、判別手段によって判別され、自動的に該判別手段による判別結果が前記イコライザ回路に供給される構成である。
【００３２】
このように構成することにより、本例の光ディスク再生装置用ジッタ測定器は、判別手段によって自動的に測定対象装置の種別及び倍速数等を判別し、光ディスクの測定規格に対応したブースト周波数の情報をイコライザ回路に供給することができる。
【００３３】
請求項９の記載は、請求項１、２、又は６の記載において、被測定装置である前記光ディスク再生装置の種別及び読み出し速度は、判別手段によって判別され、自動的に該判別手段による判別結果が前記イコライザ回路及び二値化回路に供給される構成である。
【００３４】
このように構成することにより、光ディスクの測定規格に対応したカットオフ周波数の情報をイコライザ回路及び二値化回路に供給することができる。
【００３５】
請求項１０の記載は、請求項３、４、又は７の記載において、被測定装置である前記光ディスク再生装置の種別及び読み出し速度は、判別手段によって判別され、自動的に該判別手段による判別結果が前記ＰＬＬ回路に供給される構成である。
【００３６】
このように構成することにより、光ディスクの測定規格に対応したループ伝達関数の情報をＰＬＬ回路に供給することができる。
【００３７】
【発明の実施の形態】
以下、本発明の光ディスク再生装置用ジッタ測定器について、図面を参照しながら実施形態を詳述する。
【００３８】
図１は本実施形態の光ディスク再生装置用ジッタ測定器の回路ブロック図である。同図において、本測定器は、イコライザ／フィルタ回路１１、二値化回路１２、ＰＬＬ回路１３、タイムインターバルアナライザ（ＴＩＡ）１４、メディア／線速度判別回路１５、ＣＰＵ１６、制御部１７で構成されている。制御回路１７はＣＰＵ１６から出力される制御信号に従って制御され、後述する各種条件を設定する。例えば、イコライザ／フィルタ回路１１に対してブースト量の設定信号を出力し、ブースト周波数の可変信号を出力し、カットオフ周波数の可変信号を出力する。また、二値化回路１２に対してカットオフ周波数の可変信号を出力し、ＰＬＬ回路１３に対して出力クロック周波数の設定信号、及びループ特性の可変信号を出力する。尚、これらの信号は、予め制御部１７にテーブルを設け、ＣＰＵ１６から出力される信号に基づいて自動的に最適値が出力される構成とする。
【００３９】
一方、ＣＰＵ１６はメディア／線速度判別回路１５から出力される判別信号に基づいて、制御信号を制御部１７に出力する。メディア／線速度判別回路１５は、被測定装置である光ディスクの種別を判別し、光ディスクの線速度（読み出し速度）を判別する。例えば、光ディスクがＣＤであるか、ＤＶＤであるか、また再生専用機であるか、又は追記方式であるか、更には２倍速機であるか、４倍速機であるか等の判別を行う。
【００４０】
イコライザ／フィルタ回路１１は、光ピックアップによって読み出された信号号に含まれる高周波の中で、例えば信号レベルが低下する３Ｔ（基準クロックの３倍の周期の信号）を強調する為、ブースト周波数ｆ１をブーストする。また、ＲＦ信号に含まれるノイズを除去する為、所定周波数以上の高周波（ｆ２）をカットする。本例で使用するイコライザ／フィルタ回路１１は上記ブースト周波数ｆ１とカットオフ周波数ｆ２を可変できる構成である。
【００４１】
図２は上記特性を説明する図であり、ブースト周波数はｆ１〜ｆ１’間で可変可能であり、カットオフ周波数はｆ２〜ｆ２’間で可変可能である。例えば、被測定用の光ディスクがＮ倍速のデータ読み取り機能を有する場合、ブースト周波数はＮ倍のｆ１・Ｎに設定される。一方、この場合カットオフ周波数もＮ倍のｆ２・Ｎに設定される。したがって、本例で使用するイコライザ／フィルタ回路１１によれば、メディア／線速度判別回路１５によって線速度を検出し、この情報をＣＰＵ１６に供給することによって、制御部１７から対応するブースト周波数設定信号が出力され、ブースト周波数をｆ１・Ｎに設定する。また、制御部１７から対応するカットオフ周波数設定信号が出力され、カットオフ周波数をｆ２・Ｎに設定する。
【００４２】
したがって、本例によれば、測定すべき光ディスクの線速度に対応したブースト周波数とカットオフ周波数を設定でき、後述する二値化を容易にすると共に、ジッタ測定に悪影響を与えるノイズを確実に除去することができる。
【００４３】
次に、上記処理によって特定周波数が強調され、ノイズが除去された信号は二値化回路１２に供給され、二値化回路１２によって二値化信号に変換される。この時、光ディスクの偏心や反りに基づく信号のうねりを除去する為、所定周波数以上の周波数信号が除去される。図３は二値化回路１２におけるカットオフ周波数の特性を説明する図である。本例においては、このカットオフ周波数もｆ３〜ｆ３’の範囲で可変可能であり、上記制御部１７から出力される周波数特性設定信号によって設定される。
【００４４】
例えば、測定対象である光ディスクが前述と同様、Ｎ倍速のデータ読み取り機能を有する場合、カットオフ周波数はＮ倍のｆ３・Ｎに設定される。尚、この制御回路１７による処理も、前述のメディア／線速度判別回路１５によって再生速度を検出し、この情報をＣＰＵ１６に供給することによって、制御回路１７が上記制御を行うものである。このように構成することにより、再生速度がＮ倍速の記録媒体に変更された場合でも、カットオフ周波数を対応する周波数に可変することができ、不要な高周波を除去することができる。
【００４５】
例えば、図４はカットオフ周波数調整用の回路であり、積分器２０に並列に接続されたＣＲの時定数回路の成分比を可変することによって比較器２１の入力信号に対する閾値を可変し、上記カットオフ周波数をｆ３〜ｆ３’まで可変する。尚、上記コンデンサＣの容量を可変する為には、例えばコンデンサＣをバリキャップダイオード等で構成し、上記制御部１７から周波数特性設定信号として直流電圧を供給し、カットオフ周波数を可変する。
【００４６】
次に、二値化回路１２から出力されるＥＦＭ信号に基づいてクロック信号を生成するＰＬＬ回路１３では、出力クロック周波数の設定信号、及びループ特性の設定信号の出力が行われる。これらの信号出力もＣＰＵ１６から供給される制御信号に基づいて行われ、例えば測定対象である光ディスクが前述と同様、Ｎ倍速のデータ読み取り機能を有する場合、制御部１７から出力クロック周波数をＮ倍に設定する信号が出力され、ＰＬＬ回路１３の再生クロックをＮ倍にすべく制御する。
【００４７】
また、ループ特性の設定信号が出力され、開ループ伝達関数を対応する定数に設定する。図５は制御部１７によって制御可能な出力周波数可変幅であり、例えばｆ４／Ｎ〜ｆ４までの周波数の可変が可能である。また、図６は開ループ伝達関数を可変することによって、特性ａ〜特性ｂまで可変可能である。
【００４８】
上記ＰＬＬ回路のループ特性の可変は、ループフィルタの定数を変更することによって行い、例えばコンデンサＣに直列に可変容量ダイオードを接続することによって結合容量を可変し、ループ特性を可変する。この場合、可変容量ダイオードに供給する電圧データがループ特性の設定信号となる。
【００４９】
このように処理することによって、例えば光ピックアップからＮ倍速で読み出したデータが供給された場合でも、Ｎ倍速のデータ信号を読み取り、再生クロックをＮ倍速に設定して処理することができ、正確なクロック信号の再生を行うことができる。
【００５０】
以上のように、本例によればイコライザ／フィルタ回路１１、二値化回路１２、及びＰＬＬ回路１３に対して測定対象に対応した制御信号を供給し、上記各回路を測定対象の特性に対応した規格に設定することができる。したがって、このように構成することにより、１台のジッタ測定器によって広範囲の光ディスク装置のジッタの測定を行うことができ、当該測定結果を使用して前述のチルト調整や、再生機製造ラインでの完成品検査に利用することができる。
【００５１】
尚、上記実施形態の説明では、記録媒体としてＮ倍速の光ディスクの例で説明したが、Ｎ倍速に限るものではなく、又光ディスクの種別を検出し、更には記録媒体が再生専用型、追記型、書き換え可能型であるかを判別し、イコライザ／フィルタ回路１１、二値化回路１２、及びＰＬＬ回路１３を対応する規格に設定することができる。
【００５２】
【発明の効果】
以上説明したように、本発明によれば１台のジッタ測定器によって規格の異なる光ディスクのジッタの測定を行うことができる。
【００５３】
また、汎用性のあるジッタ測定器を再生装置の製造ライン等で使用することによって、製造する機種が変わった場合でも迅速に対応することができ、効率よい光ディスク再生装置用ジッタ測定器を提供することができる。
【図面の簡単な説明】
【図１】本実施形態の光ディスク再生装置用ジッタ測定器の回路ブロック図である。
【図２】本実施形態のイコライザ／フィルタ回路の特性を説明する図である。
【図３】本実施形態の二値化回路におけるカットオフ周波数の特性を説明する図である。
【図４】カットオフ周波数調整用の回路の一例を説明する回路図である。
【図５】制御可能な出力周波数可変幅を説明する図である。
【図６】ＰＬＬループの伝達関数可変範囲を説明する図である。
【図７】従来例のジッタ測定器の回路ブロック図である。
【図８】（ａ）は、従来のイコライザ回路のブースト特性を示し、（ｂ）は、従来の二値化回路のカットオフ周波数の特性を示し、（ｃ）は、従来のＰＬＬ回路の周波数可変域を示し、（ｄ）は、従来のループ特性の変化を示す図である。
【符号の説明】
１１  イコライザ／フィルタ回路
１２  二値化回路
１３  ＰＬＬ回路
１４  タイムインターバルアナライザ（ＴＩＡ）
１５  メディア／線速度判別回路
１６    ＣＰＵ
１７  制御部
２０  積分回路
２１  比較器
【図１】
2004295965.tif 000003
【図２】
2004295965.tif 000004
【図３】
2004295965.tif 000005
【図４】
2004295965.tif 000006
【図５】
2004295965.tif 000007
【図６】
2004295965.tif 000008
【図７】
2004295965.tif 000009
【図８】
2004295965.tif 000010